(57)【要約】      （修正有）【課題】足場への設置や取り外しの作業性を向上させると共に安全性も向上させる仮設足場用部材を提供する。【解決手段】足場支柱の間にＸ字状に配設される筋交い部と、筋交い部の下端部に設けた下桟部３とを備える仮設足場用部材であって、筋交い部は、互いの交差部分で回動可能に連結して開閉可能な一対の棒状の第１斜材２１及び第２斜材２２を備え、下桟部３は、パイプ状の第１下桟部材３１と、第１下桟部材３１の一方端３１ａ側から他方端３２ｂが挿入され、第１下桟部材３１の内側でスライド自在に設けられる棒状の第２下桟部材３２とを備え、第１斜材２１の下端部２１ａと、第１下桟部材３１の他方端部３１ｂとは、回動可能に連結され、第２斜材２２の下端部２２ａと、第２下桟部材３２の一方端部３２ａとは、回動可能に連結され、一対の第１斜材２１及び第２斜材２２の開閉動作に伴い、第１下桟部材３１と第２下桟部材３２とが相対的にスライド移動する。【選択図】図２
2019157416.tif 000002
【特許請求の範囲】
【請求項１】
足場支柱の間にＸ字状に配設される筋交い部と、前記筋交い部の下端部に設けられる下桟部とを備える仮設足場用部材であって、
前記筋交い部は、互いの交差部分で回動可能に連結して開閉可能とされる一対の棒状の第１斜材及び第２斜材を備えており、
前記下桟部は、パイプ状の第１下桟部材と、前記第１下桟部材の一方端側から他方端が挿入され、前記第１下桟部材の内側でスライド自在に設けられる棒状の第２下桟部材と、を備えており、
前記第１斜材の下端部と、前記第１下桟部材の他方端部とは、回動可能に連結されており、
前記第２斜材の下端部と、前記第２下桟部材の一方端部とは、回動可能に連結されており、
前記一対の第１斜材及び第２斜材の開閉動作に伴って、前記第１下桟部材と前記第２下桟部材とが相対的にスライド移動することを特徴とする仮設足場用部材。
【請求項２】
前記第２下桟部材は、パイプ状に形成されていることを特徴とする請求項１に記載の仮設足場用部材。
【請求項３】
前記パイプ状の第１下桟部材の他方端部には、該第１下桟部材の長手方向に沿うスリット状の第１切れ目が形成されており、
前記第１斜材の下端部と前記第１下桟部材の他方端部とを回動可能に連結する第１連結部材を備えており、
前記第１連結部材は、前記スリット状の第１切れ目に挿入された状態で前記第１下桟部材に回動可能に軸支される第１基端部と、前記第１下桟部材の外方に配置され、前記第１斜材の下端部に接続される第１接続部と、を備えていることを特徴とする請求項１又は２に記載の仮設足場用部材。
【請求項４】
前記第２下桟部材の一方端部には、該第２下桟部材の長手方向に沿うスリット状の第２切れ目が形成されており、
前記第２斜材の下端部と前記第２下桟部材の一方端部とを回動可能に連結する第２連結部材を備えており、
前記第２連結部材は、前記スリット状の第２切れ目に挿入された状態で前記第２下桟部材に回動可能に軸支される第２基端部と、前記第２下桟部材の外方に配置され、前記第２斜材の下端部に接続される第２接続部と、を備えていることを特徴とする請求項１から３のいずれかに記載の仮設足場用部材。
【発明の詳細な説明】
【技術分野】
【０００１】
本発明は、仮設足場用部材に関する。特に、筋交い部と下桟部とを一体化した仮設足場用部材に関する。
【背景技術】
【０００２】
従来、建造物等の建築のために足場を形成するに際しては、所要数所定間隔を保って配置される足場支柱の間に、足場用踏板を水平状態で架設すると共に、各足場支柱間の連結の強化を図るために、棒状部材をＸ字状に連結した筋交いが設けられるのが一般的である。また、安全性向上の観点から、該筋交いの下方に水平状態で設置される棒状部材からなる下桟が設けられるのも一般的である。
【０００３】
筋交い及び下桟は、上記のように棒状部材から構成されるものであることから、各棒状部材を一本一本足場支柱に取り付ける必要があり作業性が悪いという問題があった。また、棒状部材は、足場用踏板から転がって落下するリスクもあり、更なる改良・改善が望まれていた。
【０００４】
このような問題を解決するために、例えば、特許文献１に開示されているような仮設足場用部材が存在する。この仮設足場用部材は、図５に示すように、互いの交差部分で回動可能に連結して開閉可能とされる一対の棒状の第１斜材１０１及び第２斜材１０２を備える筋交い部に対して、その両側の下端のやや上方部分の間に水平に架設するように棒状を呈する下桟１０３の両端を掛止め固定して、筋交い部と下桟とを一体化するように構成されている。
【０００５】
このように筋交い部と下桟とを一体化することにより、従来よりも筋交い及び下桟の設置作業の作業性を向上させることができ、また、足場支柱から取り外した後は、第１斜材１０１及び第２斜材１０２を閉じた状態（第１斜材１０１と第２斜材１０２とが重なり合うようにした状態）とすることにより、コンパクトな状態とすることができ、収納性を良好なものとすることが可能となる。また、筋交いを構成する各棒状部材（第１斜材１０１及び第２斜材１０２）と、下桟１０３とが一体化されているため、足場用踏板から転がって落下するリスクを大幅に低減できるというメリットもある。
【先行技術文献】
【特許文献】
【０００６】
【特許文献１】特開２０００−３２８７７４号公報
【発明の概要】
【発明が解決しようとする課題】
【０００７】
上述のように特許文献１に開示の仮設足場用部材は、優れた面を有するものであるが、この仮設足場用部材は、図５に示すように、下桟１０３の一方端部に設けられた輪体１０４が第２斜材１０２の外表面上をスライドするように構成されていることから、第１斜材１０１及び第２斜材１０２の開閉時に輪体１０４が第２斜材１０２の表面と干渉して開閉を行いにくくなるおそれがあり、更なる作業性の向上を図るための改良が望まれている。また、輪体１０４は、第２斜材１０２の表面に対してその外方に突出して存在するため、足場で作業する作業者の衣服の一部が引っ掛かるおそれもあり、安全性の観点からも更なる改良が望まれている。
【０００８】
本発明は、このような要請に応えるべくなされたものであって、足場への設置や取り外しの作業性を向上させると共に安全性も向上させることができる仮設足場用部材を提供することを目的とする。
【課題を解決するための手段】
【０００９】
本発明の上記目的は、足場支柱の間にＸ字状に配設される筋交い部と、前記筋交い部の下端部に設けられる下桟部とを備える仮設足場用部材であって、前記筋交い部は、互いの交差部分で回動可能に連結して開閉可能とされる一対の棒状の第１斜材及び第２斜材を備えており、前記下桟部は、パイプ状の第１下桟部材と、前記第１下桟部材の一方端側から他方端が挿入され、前記第１下桟部材の内側でスライド自在に設けられる棒状の第２下桟部材と、を備えており、前記第１斜材の下端部と、前記第１下桟部材の他方端部とは、回動可能に連結されており、前記第２斜材の下端部と、前記第２下桟部材の一方端部とは、回動可能に連結されており、前記一対の第１斜材及び第２斜材の開閉動作に伴って、前記第１下桟部材と前記第２下桟部材とが相対的にスライド移動することを特徴とする仮設足場用部材により達成される。
【００１０】
また、上記仮設足場用部材において、前記第２下桟部材は、パイプ状に形成されていることが好ましい。
【００１１】
また、前記パイプ状の第１下桟部材の他方端部には、該第１下桟部材の長手方向に沿うスリット状の第１切れ目が形成されており、前記第１斜材の下端部と前記第１下桟部材の他方端部とを回動可能に連結する第１連結部材を備えており、前記第１連結部材は、前記スリット状の第１切れ目に挿入された状態で前記第１下桟部材に回動可能に軸支される第１基端部と、前記第１下桟部材の外方に配置され、前記第１斜材の下端部に連結される第１接続部と、を備えていることが好ましい。
【００１２】
また、前記パイプ状に形成される前記第２下桟部材の一方端部には、該第２下桟部材の長手方向に沿うスリット状の第２切れ目が形成されており、前記第２斜材の下端部と前記第２下桟部材の一方端部とを回動可能に連結する第２連結部材を備えており、前記第２連結部材は、前記スリット状の第２切れ目に挿入された状態で前記第２下桟部材に回動可能に軸支される第２基端部と、前記第２下桟部材の外方に配置され、前記第２斜材の下端部に連結される第２接続部と、を備えていることが好ましい。
【発明の効果】
【００１３】
本発明によれば、足場への設置や取り外しの作業性を向上させると共に安全性も向上させることができる仮設足場用部材を提供することができる。
【図面の簡単な説明】
【００１４】
【図１】本発明に係る仮設足場用部材の概略構成平面図である。
【図２】図１に示す仮設足場用部材の要部拡大断面図である。
【図３】図２のＡ−Ａ断面を示す要部拡大断面図である。
【図４】本発明に係る仮設足場用部材の作動を説明する説明図である。
【図５】従来の仮設足場用部材を示す概略構成平面図である。
【発明を実施するための形態】
【００１５】
以下、本発明に係る仮設足場用部材１について、添付図面を参照して説明する。なお、各図は、構成の理解を容易ならしめるために部分的に拡大・縮小している。図１は、本発明に係る仮設足場用部材１の概略構成平面図である。この仮設足場用部材１は、図１に示すように、所要数所定間隔を保って配置される足場支柱５０の間に、足場支柱間の連結の強化を図るために設置される部材であり、筋交い部２と、筋交い部２の下端部に設けられる下桟部３とを備えている。なお、図１中、図番号６０で示される部材は、足場用踏板を表している。
【００１６】
筋交い部２は、足場支柱５０の間にＸ字状に配設される部材であり、図１に示すように、互いの交差部分で回動可能に連結して開閉可能とされる一対の棒状の第１斜材２１及び第２斜材２２を備えている。第１斜材２１及び第２斜材２２の各両端部は、偏平な板状をなす取付部２３，２４が形成されており、この取付部２３，２４には係止穴が透設されている。
【００１７】
また、第１斜材２１及び第２斜材２２は、その略中央位置において、例えば、ピン２５により回動可能に連結されることにより、開閉可能に構成されている。このような構成の筋交い部２は、例えば、足場支柱５０の外周面から突設された係合突起（図示せず）に係合させること等により、所要数所定間隔を保って配置される足場支柱５０の間に装着され、足場支柱５０における枠状部分の強度アップ及び歪みを防止している。
【００１８】
ここで、本発明においては、ピン２５を中心として第１斜材２１及び第２斜材２２を回動させて、第１斜材２１及び第２斜材２２が水平状態で重なり合うようにすることを、筋交い部２を閉じた状態にするといい、この閉じた状態から、ピン２５を中心として第１斜材２１及び第２斜材２２を回動させて、第１斜材２１及び第２斜材２２がＸ字状の形態となるようにすることを、筋交い部２を開いた状態にするという。
【００１９】
筋交い部２を構成する第１斜材２１及び第２斜材２２に関し、取付部２３，２４以外の部分は、軽量化の観点から中空のパイプ状部材から構成することが好ましい。なお、中実の金属棒により構成してもよい。また、第１斜材２１及び第２斜材２２を構成する材料としては、例えば、ステンレスやアルミニウム等の金属材料が好ましく例示することができる。
【００２０】
また、第１斜材２１及び第２斜材２２の両端部に形成される各取付部２３，２４は、例えば、第１斜材２１及び第２斜材２２を構成するパイプ状部材の両端部を平面状に潰すことによって形成することができる。なお、このようにパイプ状部材の両端部を潰すことにより取付部２３，２４を形成する代わりに、第１斜材２１及び第２斜材２２を構成する棒状部材に、別体として構成される偏平な板状の取付部２３，２４を溶接等によって固定してもよい。
【００２１】
下桟部３は、筋交い部２の下端部に設けられ部材であり、図１や図１の要部拡大断面図を示す図２に示すように、パイプ状の第１下桟部材３１と、当該第１下桟部材３１の一方端側３１ａから他方端３２ｂが挿入され、第１下桟部材３１の内側でスライド自在に設けられる棒状の第２下桟部材３２とを備えている。パイプ状の第１下桟部材３１の内側にスライド自在に配置される第２下桟部材３２は、中実の棒状部材であってもよく、或いは、中空のパイプ状部材であってもよいが、軽量化の観点や、仮設足場用部材１の重量バランスの観点から中空パイプ状の棒状部材として構成することが好ましい。
【００２２】
また、第１下桟部材３１及び第２下桟部材３２を構成する材料としては、例えば、ステンレスやアルミニウム等の金属材料が好ましく例示することができる。なお、本実施形態においては、第２下桟部材３２はパイプ状の棒状部材として構成している。
【００２３】
また、第１斜材２１の下端部２１ａと、第１下桟部材３１の他方端部３１ｂとは、回動可能に連結されており、同様に、第２斜材２２の下端部２２ａと、第２下桟部材３２の一方端部３２ａとは、回動可能に連結されている。
【００２４】
より具体的には、上述の第１斜材２１の下端部２１ａと、第１下桟部材３１の他方端部３１ｂとは、第１連結部材４を介して、回動可能に連結されている。この第１連結部材４は、図２の要部拡大図や図２のＡ−Ａ断面を示す図３に示すように、パイプ状の第１下桟部材３１の他方端部３１ｂにおいて形成されるスリット状の第１切れ目Ｓ１に挿入された状態で第１下桟部材３１に回動可能に軸支される板状の第１基端部４１と、第１下桟部材３１の外方に配置され、第１斜材２１の下端部２１ａに接続される第１接続部４２とを備えるように構成されている。
【００２５】
ここで、スリット状の第１切れ目Ｓ１は、第１下桟部材３１の長手方向に沿うように形成されており、パイプ状の第１下桟部材３１の他方端部３１ｂにおいて、互いに対向する位置二カ所に形成されている。また、第１基端部４１には貫通孔が形成されており、当該貫通孔にピンやボルト等の軸体４３を挿通させたうえで、該軸体４３を第１下桟部材３１に固定することによって、第１連結部材４は、第１下桟部材３１に対して回動可能に連結される。なお、第１連結部材４（第１基端部４１）の回転中心となる軸体４３は、第１下桟部材３１の他方端部３１ｂにおいて二カ所形成される第１切れ目Ｓ１同士の間に挿入される板状の第１基端部４１に対して垂直となる方向に設置されている。また、本実施形態においては、軸体４３としてボルトを採用し、第１下桟部材３１の他方端部３１ｂの所定位置に形成される貫通孔に該ボルトを挿入すると共に、ボルト先端部にナットを螺合して固定している。
【００２６】
また、同様に、上述の第２斜材２２の下端部２２ａと、第２下桟部材３２の一方端部３２ａとは、第２連結部材５を介して、回動可能に連結されている。この第２連結部材５は上述の第１連結部材４と同様な構成を有しており、図２や図３に示すように、パイプ状に形成される第２下桟部材３２の一方端部３２ａにおいて形成されるスリット状の第２切れ目Ｓ２に挿入された状態で第２下桟部材３２に回動可能に軸支される板状の第２基端部５１と、第２下桟部材３２の外方に配置され、第２斜材２２の下端部２２ａに接続される第２接続部５２とを備えるように構成されている。
【００２７】
ここで、スリット状の第２切れ目Ｓ２は、第２下桟部材３２の長手方向に沿うように形成されており、パイプ状の第２下桟部材３２の一方端部３２ａにおいて、互いに対向する位置二カ所に形成されている。また、第２基端部５１には貫通孔が形成されており、当該貫通孔にピンやボルト等の軸体５３を挿通させたうえで、該軸体５３を第２下桟部材３２に固定することによって、第２連結部材５は、第２下桟部材３２に対して回動可能に連結される。なお、第２連結部材５（第２基端部５１）の回転中心となる軸体５３は、第２下桟部材３２の一方端部３２ａにおいて二カ所形成される第２切れ目Ｓ２同士の間に挿入される板状の第２基端部５１に対して垂直となる方向に設置されている。また、本実施形態においては、軸体５３としてボルトを採用し、第２下桟部材３２の一方端部３２ａの所定位置に形成される貫通孔に該ボルトを挿入すると共に、ボルト先端部にナットを螺合して固定している。
【００２８】
また、第１接続部４２は、第１斜材２１の下端部２１ａに設けられる偏平な板状をなす取付部２３の外表面を包持して連結できるように構成されており、同様に、第２接続部５２は、第２斜材２２の下端部２２ａに設けられる板状の取付部２４の外表面を包持して連結できるように構成されている。
【００２９】
このような構造により、上述の一対の第１斜材２１及び第２斜材２２の開閉動作に伴って、第１下桟部材３１と第２下桟部材３２とが相対的なスライド移動を行うこととなる。つまり、図１に示す状態（第１斜材２１及び第２斜材２２がＸ字状の形態を構成している状態）から、ピン２５を中心として第１斜材２１及び第２斜材２２を回動させて、図４（ａ）に示すように、第１斜材２１及び第２斜材２２が水平状態で重なり合う方向に当該第１斜材２１及び第２斜材２２を閉じることにより、第１連結部材４に連結された第１下桟部材３１と、第２連結部材５に連結された第２下桟部材３２とは、互いに離間する方向に相対的なスライド移動を行い、最終的に図４（ｂ）に示すように、第１斜材２１、第２斜材２２、第１下桟部材３１及び第２下桟部材３２が、互いに水平な方向に沿って配置されるコンパクトな状態となる。
【００３０】
一方、図４（ｂ）に示す状態から、ピン２５を中心として第１斜材２１及び第２斜材２２を回動させて、第１斜材２１及び第２斜材２２がＸ字状をなすように第１斜材２１及び第２斜材２２を開くことにより、第１連結部材４に連結された第１下桟部材３１の一方端３１ａが第２連結部材５側に向かうように、また、第２連結部材５に連結された第２下桟部材３２の他方端３２ｂが第１連結部材４側に向かうように、第１下桟部材３１と第２下桟部材３２とが相対的なスライド移動を行うこととなる。
【００３１】
ここで、第１斜材２１及び第２斜材２２が閉じた状態（互いに重なり合った状態；図４（ｂ）に示す状態）において、第２下桟部材３２の他方端３２ｂが第１下桟部材３１の内側から抜け出ない程度の長さとなるように、第１下桟部材３１及び第２下桟部材３２の長さは設定されている。
【００３２】
また、第１斜材２１及び第２斜材２２を開いて、第１斜材２１及び第２斜材２２がＸ字状をなす形態を構成した際に、ピン２５を中心とした第１斜材２１及び第２斜材２２の開き角度が、所定の角度以上に開かないようにするため、第１下桟部材３１の内側に、第２下桟部材３２の先端（他方端３２ｂ）が突き当たるストッパー部材を配置することが好ましい。第１下桟部材３１の内側におけるストッパー部材の設置位置は、第１斜材２１及び第２斜材２２をピン２５を中心として開いていく際に、第１斜材２１の上方の取付部２３と第２斜材２２の上方の取付部２３との水平間距離が互いに隣接する足場支柱５０同士の間隔寸法となる位置で、第２下桟部材３２の先端（他方端３２ｂ）が、ストッパー部材に突き当たるような位置に設定することが好ましい。
【００３３】
第１下桟部材３１の内側に配置されるストッパー部材の形態は、第２下桟部材３２の先端（他方端３２ｂ）全体を均一に受け止めるという観点から、第１下桟部材３１の内周面から第１下桟部材３１の径方向に向けて突出するリング状の形態を成すように構成することが好ましい。なお、このようなリング状の形態を成すようにストッパー部材を構成する必要は必ずしもなく、第２下桟部材３２の先端（他方端３２ｂ）の移動を規制することができればどのような形態であってもよい。例えば、第１下桟部材３１の内周面から第１下桟部材３１の径方向に向けてドーム状に隆起する突起物としてストッパー部材を構成してもよい。また、ストッパー部材を特に設けることなく、第１下桟部材３１の他方端部３１ｂに配設される第１連結部材４や、当該第１連結部材４を回動可能に第１下桟部材３１に固定する軸体４３をストッパーとして活用してもよい。
【００３４】
本発明に係る仮設足場用部材１は、上述のような構成を有するため、スムーズに第１斜材２１及び第２斜材２２を開閉することが可能となり、足場支柱５０への仮設足場用部材１の設置作業や、取り外して折り畳んで収納する作業の作業性を向上させることが可能となる。より具体的には、第１斜材２１及び第２斜材２２を開閉する際に、第１下桟部材３１及び第２下桟部材３２が同一軸上に沿ってスライド移動を行うため、第１下桟部材３１及び第２下桟部材３２が互いに干渉することを効果的に抑制することができ、第１斜材２１及び第２斜材２２のスムーズな開閉を実現することができる。
【００３５】
また、本発明に係る仮設足場用部材１は、従来のように、下桟の一方端部に設けられた輪体が斜材の外表面上をスライドするような構成を採用していないため、足場で作業する作業者の衣服の一部が引っ掛かるような突出物（輪体）が斜材上（第１斜材２１上や第２斜材２２上）に存在しないことから、安全性の観点からも優れたものとなる。
【符号の説明】
【００３６】
１  仮設足場用部材
２  筋交い部
２１  第１斜材
２２  第２斜材
３  下桟部
３１  第１下桟部材
３２  第２下桟部材
４  第１連結部材
４１  第１基端部
４２  第１接続部
４３  軸体
５  第２連結部材
５１  第２基端部
５２  第２接続部
５３  軸体
Ｓ１  第１切れ目
Ｓ２  第２切れ目
【図１】
2019157416.tif 000003
【図２】
2019157416.tif 000004
【図３】
2019157416.tif 000005
【図４】
2019157416.tif 000006
【図５】
2019157416.tif 000007